(57)【要約】【課題】各人が楽しむことのできる画像表示システムおよび画像表示プログラムを提供する。【解決手段】画像表示システム１００は、複数のカメラＣＡで撮像された複数の画像を取得し、取得した複数の画像から２つ以上の画像を画像表示端末２００に送信し、画像表示端末２００に２つ以上の画像を表示する第１表示状態と、第１表示状態で表示された２つ以上の画像から選択された画像を第１表示状態よりも大きく表示する第２表示状態と、を取り得る。【選択図】図１
2018025734.tif 000002
【特許請求の範囲】
【請求項１】
複数のカメラで撮像された複数の画像を取得し、取得した前記複数の画像から２つ以上の画像を画像表示端末に送信し、前記画像表示端末に２つ以上の前記画像を表示する第１表示状態と、前記第１表示状態で表示された２つ以上の前記画像から選択された前記画像を表示する第２表示状態と、を取り得ることを特徴とする画像表示システム。
【請求項２】
２つ以上の前記画像を含むマルチ画像を生成し、前記マルチ画像を前記画像表示端末に送信する請求項１に記載の画像表示システム。
【請求項３】
前記画像表示端末は、受信した前記マルチ画像を各前記画像に分割し、分割した各前記画像を前記第１表示状態において表示する請求項２に記載の画像表示システム。
【請求項４】
前記第１表示状態では、２つ以上の前記画像のうちの少なくとも１つの画像をメイン画像とすると共に残りの前記画像をサブ画像とし、前記メイン画像を前記サブ画像よりも大きく表示する請求項１ないし３のいずれか１項に記載の画像表示システム。
【請求項５】
前記第１表示状態では、前記メイン画像と前記サブ画像とを切り替え可能である請求項４に記載の画像表示システム。
【請求項６】
前記第２表示状態で表示される前記画像は、前記第１表示状態で前記メイン画像として表示される画像である請求項１ないし５のいずれか１項に記載の画像表示システム。
【請求項７】
前記第２表示状態で表示される前記画像は、前記第１表示状態で表示される前記メイン画像よりも大きい請求項６に記載の画像表示システム。
【請求項８】
複数の前記画像表示端末から前記第２表示状態で表示されている前記画像を集計する請求項１ないし７のいずれか１項に記載の画像表示システム。
【請求項９】
前記集計結果を利用して、前記第１表示状態で表示する前記画像を変更する請求項８に記載の画像表示システム。
【請求項１０】
前記複数のカメラで撮像された複数の画像を取得する画像取得部と、
前記画像取得部が取得した前記複数の画像から前記第１表示状態で表示するための画像信号を生成する画像生成部と、
前記画像生成部で生成した画像信号を前記画像表示端末に送信する送信部と、を有している請求項１ないし９のいずれか１項に記載の画像表示システム。
【請求項１１】
前記画像表示端末を用いた付加機能を有している請求項１ないし１０のいずれか１項に記載の画像表示システム。
【請求項１２】
異なるカメラで撮像された２つ以上の画像を画像表示端末に表示させる第１表示状態と、前記第１表示状態で表示された２つ以上の画像から選択された前記画像を前記画像表示端末に表示させる第２表示状態と、を取り得ることができることを特徴とする画像表示プログラム。
【発明の詳細な説明】
【技術分野】
【０００１】
本発明は、画像表示システムおよび画像表示プログラムに関するものである。
【背景技術】
【０００２】
近年、アーティストのライブコンサートの会場には、巨大なスクリーンが設置されており、このスクリーンにはアーティスト等が映し出されるようになっている。このスクリーンに映し出されている映像を観客に見せることで、肉眼では見えなかったり、物の影になって見えなかったりするアーティストの表情や演奏テクニック等を観客に堪能してもらうことができる。
【０００３】
しかしながら、スクリーンに映し出される映像が、その観客が見たい映像であるとは限らない。例えば、複数の人物（メンバー）で構成されるアイドルグループのライブであった場合、観客ごとにファンである人物が異なることから、仮に、スクリーンにある人物が単独で映し出されている場合には、その人物のファンである観客は楽しむことができるが、他の人物のファンである観客は楽しむことができない。
【０００４】
なお、例えば、特許文献１にライブコンサートを楽しむための望遠鏡一体型コンサートペンライトが開示されているが、このようなグッズによっても、上述のような問題を解消することができない。
【先行技術文献】
【特許文献】
【０００５】
【特許文献１】特開２０１６−１８７７６号公報
【発明の概要】
【発明が解決しようとする課題】
【０００６】
本発明の目的は、各人が楽しむことのできる画像表示システムおよび画像表示プログラムを提供することにある。
【課題を解決するための手段】
【０００７】
このような目的は、下記（１）〜（１２）の本発明により達成される。
【０００８】
（１）  複数のカメラで撮像された複数の画像を取得し、取得した前記複数の画像から２つ以上の画像を画像表示端末に送信し、前記画像表示端末に２つ以上の前記画像を表示する第１表示状態と、前記第１表示状態で表示された２つ以上の前記画像から選択された前記画像を表示する第２表示状態と、を取り得ることを特徴とする画像表示システム。
【０００９】
（２）  ２つ以上の前記画像を含むマルチ画像を生成し、前記マルチ画像を前記画像表示端末に送信する上記（１）に記載の画像表示システム。
【００１０】
（３）  前記画像表示端末は、受信した前記マルチ画像を各前記画像に分割し、分割した各前記画像を前記第１表示状態において表示する上記（２）に記載の画像表示システム。
【００１１】
（４）  前記第１表示状態では、２つ以上の前記画像のうちの少なくとも１つの画像をメイン画像とすると共に残りの前記画像をサブ画像とし、前記メイン画像を前記サブ画像よりも大きく表示する上記（１）ないし（３）のいずれかに記載の画像表示システム。
【００１２】
（５）  前記第１表示状態では、前記メイン画像と前記サブ画像とを切り替え可能である上記（４）に記載の画像表示システム。
【００１３】
（６）  前記第２表示状態で表示される前記画像は、前記第１表示状態で前記メイン画像として表示される画像である上記（１）ないし（５）のいずれかに記載の画像表示システム。
【００１４】
（７）  前記第２表示状態で表示される前記画像は、前記第１表示状態で表示される前記メイン画像よりも大きい上記（６）に記載の画像表示システム。
【００１５】
（８）  複数の前記画像表示端末から前記第２表示状態で表示されている前記画像を集計する上記（１）ないし（７）のいずれかに記載の画像表示システム。
【００１６】
（９）  前記集計結果を利用して、前記第１表示状態で表示する前記画像を変更する上記（８）に記載の画像表示システム。
【００１７】
（１０）  前記複数のカメラで撮像された複数の画像を取得する画像取得部と、
前記画像取得部が取得した前記複数の画像から前記第１表示状態で表示するための画像信号を生成する画像生成部と、
前記画像生成部で生成した画像信号を前記画像表示端末に送信する送信部と、を有している上記（１）ないし（９）のいずれかに記載の画像表示システム。
【００１８】
（１１）  前記画像表示端末を用いた付加機能を有している上記（１）ないし（１０）のいずれかに記載の画像表示システム。
【００１９】
（１２）  異なるカメラで撮像された２つ以上の画像を画像表示端末に表示させる第１表示状態と、前記第１表示状態で表示された２つ以上の画像から選択された前記画像を前記画像表示端末に表示させる第２表示状態と、を取り得ることができることを特徴とする画像表示プログラム。
【発明の効果】
【００２０】
本発明によれば、画像表示端末を有する各人が、第１表示状態で映し出された複数の画像から自分の見たい画像を選択して映し出すとこができるため、各人が楽しむことのできる画像表示システム、画像表示端末および画像表示プログラムを提供することができる。
【図面の簡単な説明】
【００２１】
【図１】本発明の好適な実施形態に係る画像表示システムの構成図である。
【図２】図１に示す画像生成部で生成される画像信号のイメージ図である。
【図３】画像表示端末の画面を示すイメージ図である。
【図４】図２に示す画像信号を分割する方法を説明するための図である。
【図５】図２に示す画像信号を分割する方法を説明するための図である。
【図６】画像表示端末の画面を示すイメージ図である。
【図７】画像表示端末の画面を示すイメージ図である。
【図８】画像表示端末の画面を示すイメージ図である。
【図９】画像表示端末の画面を示すイメージ図である。
【図１０】図１に示す画像表示システムの変形例を示す構成図である。
【図１１】集計部に記憶されるデータを示すイメージ図である。
【発明を実施するための形態】
【００２２】
以下、本発明の画像表示システムおよび画像表示プログラムを添付図面に示す好適な実施形態に基づいて詳細に説明する。
【００２３】
図１は、本発明の好適な実施形態に係る画像表示システムの構成図である。図２は、図１に示す画像生成部で生成される画像信号のイメージ図である。図３は、画像表示端末の画面を示すイメージ図である。図４および図５は、それぞれ、図２に示す画像信号を分割する方法を説明するための図である。図６ないし図９は、それぞれ、画像表示端末の画面を示すイメージ図である。図１０は、図１に示す画像表示システムの変形例を示す構成図である。図１１は、集計部に記憶されるデータを示すイメージ図である。
【００２４】
以下では、本発明の画像表示システムおよび画像表示プログラムについて、２人のメンバーＡ、ＢからなるアイドルグループＸ（アーティスト）のライブコンサートを例に挙げて説明する。ただし、画像表示システム、画像表示端末および画像表示プログラムを用いる環境としては、ライブコンサート、クラシックコンサート、フィルムコンサート等の各種コンサートに限定されず、例えば、オペラ、ミュージカル、歌舞伎等の演劇、サーカス、野球、サッカー、ラグビー、競馬、陸上、ゴルフ、バスケットボール、相撲、柔道、体操、フィギュアスケート、モータースポーツ、ボクシング等の格闘技等の各種スポーツ（屋内、屋外を問わない。）の試合、モーターショー、ゲームショー、医療機器、産業機器等の展示会等の各種イベント等であってもよい。
【００２５】
まず、コンサートホールの設備について簡単に説明すると、コンサートホールにはアイドルグループＸが登るステージと、アイドルグループＸを様々な角度から撮影（撮像）する複数のカメラＣＡと、大型スクリーンと、が設置されている。複数のカメラＣＡで撮影された画像は、例えば、前記大型スクリーンに映し出されたり、他の会場へのライブ中継に用いられたり、後に放映されるテレビプログラムに用いられたり、後に発売するＤＶＤ、ＢＤ（Ｂｌｕ−ｒａｙ（登録商標）  Ｄｉｓｃ）等の記録メディアの制作に用いられたりする。なお、大型スクリーンには複数のカメラから得られた画像の中から担当者が選択した画像が映し出されるようになっている。そのため、各観客からしてみれば、前記大型スクリーンに自分が見たい画像（例えば、自分のファンであるメンバーの画像）が映し出されるとは限らない。以上のような構成は、従来からある一般的なライブコンサートのシステムであり、本発明の画像表示システムおよび画像表示プログラムの優れている所は、このような従来からある一般的なライブコンサートのシステムに簡単に組み込むことができる点にある。
【００２６】
以下、このような本発明の画像表示システムおよび画像表示プログラムについて詳細に説明する。なお、本明細書中の「画像」は、動画（映像）および静止画の両者を含んでおり、どちらであってもよい。
【００２７】
画像表示システム１００は、簡単に言えば、観客が使用する画像表示端末２００を用いて、画像表示端末２００にそれを使用する観客一人ひとりに合った画像をリアルタイムで配信するシステムである。このような画像表示システム１００によれば、例えば、席がステージから遠くてアイドルグループＸがよく見えない場合や、前の席の観客の背が高くてアイドルグループＸがよく見えない場合等でも、画像表示端末２００によってアイドルグループＸを観賞することができる。また、例えば、肉眼では確認できないような、メンバーＡ、Ｂの表情や、演奏テクニック（例えば、ギター演奏の手元）を観賞することもできる。そのため、観客にライブコンサートを楽しんでもらうことができる。
【００２８】
なお、画像表示端末２００としては、配信される画像を受信、表示できれば特に限定されず、例えば、スマートフォン、タブレット端末、ノートパソコン、観客の頭部に装着するヘッドマウントディスレイ、観客の眼球に装着するコンタクトレンズ型の表示装置、フィルム型の表示装置、例えば時計のように腕に装着するウェアラブル端末、観客の前（例えば、前方の席の背もたれの背面）に設置された備え付けのモニター、３Ｄホログラム等を用いることができる。
【００２９】
また、画像表示端末２００は、観客個人が所有する端末を用いてもよいし、ライブコンサートの主催者（関係者を含む）が提供（貸与、譲渡）する端末であってもよいが、後者であることが好ましい。なお、本実施形態では、画像表示端末２００として後者を用いる場合について代表して説明する。画像表示端末２００としてライブコンサートの主催者が提供する端末を用いることで、当該端末に専用のプログラムを組み込むことができ（すなわち、ライブコンサート専用の端末とすることができ）、例えば、著作権法上の問題（例えば、不正録画（スクリーンショット等の静止画の保存を含む）、不正配信等の防止）を容易に解決することができる。
【００３０】
なお、ライブコンサートの主催者が観客に画像表示端末２００を貸与する場合、ライブコンサート開始前に会場にて希望する観客に画像表示端末２００を貸与し、ライブコンサート終了後に会場にて画像表示端末２００を返却してもらえばよいが、貸与時に補償金を預かり、返却時に補償金を返却するといった方法をとるのが好ましい。このような方法によれば、例えば、観客が画像表示端末２００を返却せずにそのまま持ち帰ってしまうといった弊害を抑制することができる。
【００３１】
また、画像表示端末２００としては、観客が装着して用いるウェアラブル端末であることが好ましい。ウェアラブル端末を用いることで、画像表示端末２００を手に持つ煩わしさを解消できると共に、画像表示端末２００の紛失、落下による損傷等を防止することができる。さらには、ウェアラブル端末の中でも、腕に装着するものが好ましい。これにより、画像表示端末２００に表示された画像を確認し易くなると共に、画像表示端末２００の操作がし易くなる。
【００３２】
以上、画像表示端末２００について説明した。このような画像表示端末２００を用いて実施される画像表示システム１００は、複数のカメラＣＡで撮像された複数の画像を取得し、取得した複数の画像から２つ以上の画像を画像表示端末２００に送信（配信）し、画像表示端末２００に２つ以上の画像を表示する第１表示状態（マルチ画像表示状態）と、第１表示状態で表示された２つ以上の画像から選択された画像を表示する第２表示状態（選択画像表示状態）と、を取り得ることができるように構成されている。
【００３３】
具体的には、画像表示システム１００は、図１に示すように、複数のカメラＣＡからの画像（ライブ映像）を取得する画像取得部１１０と、画像取得部１１０が取得した複数のカメラＣＡからの複数の画像からマルチ画像信号を生成する画像生成部１２０と、画像生成部１２０で生成したマルチ画像信号をストリーミング配信（送信）する配信部１３０（送信部）と、ネットワーク１４０と、を有している。
【００３４】
画像取得部１１０は、複数のカメラＣＡからの画像を取得する。なお、画像取得部１１０が取得する画像の数としては、複数であれば限定されず、ライブコンサートの規模、アーティストのメンバー数等によって適宜設定することができる。また、画像取得部１１０は、設置された全てのカメラＣＡから画像を取得してもよいし、選択した一部のカメラＣＡから画像を取得してもよい。また、選択した一部のカメラＣＡから画像を取得する場合、カメラＣＡの選択をライブコンサート中に自由に変更できるようになっていてもよい。
【００３５】
画像生成部１２０は、画像取得部１１０が取得した複数のカメラＣＡからの複数の画像からマルチ画像ＭＳ（マルチ画像の画像信号）を生成する。すなわち、マルチ画像ＭＳは、１つの画像に複数のカメラＣＡの画像を含んでいる。また、マルチ画像ＭＳに含まれる複数の画像は、互いに同期がとられている。すなわち、マルチ画像ＭＳには、実質的に同時刻の複数の画像が含まれている。
【００３６】
このようなマルチ画像ＭＳは、例えば、図２に示すような画像信号とすることができる。図２に示すマルチ画像ＭＳは、縦×横＝２×４に分割された計８つの画像領域Ｓ１〜Ｓ８を有し、画像領域Ｓ１〜Ｓ８には、画像Ｐ１〜Ｐ８が表示されるようになっている。そして、画像Ｐ１〜Ｐ８には、それぞれ、画像取得部１１０が取得した画像のいずれかが表示される。例えば、画像取得部１１０が８台のカメラＣＡから画像を取得している場合には、これら全ての画像が画像Ｐ１〜Ｐ８として画像領域Ｓ１〜Ｓ８に表示される。これに対して、画像取得部１１０が９台以上のカメラＣＡから画像を取得している場合には、これら画像のうちから選択された８つの画像が画像Ｐ１〜Ｐ８として画像領域Ｓ１〜Ｓ８に表示される。なお、画像領域Ｓ１〜Ｓ８には、それぞれ、別の画像を選択するのが好ましいが、画像領域Ｓ１〜Ｓ８の少なくとも２つの領域で同じ画像を選択してもよい。
【００３７】
なお、マルチ画像ＭＳに含まれる画像領域の数としては、特に限定されず、２〜７つであってもよしい、９つ以上であってもよい。
【００３８】
配信部１３０は、画像生成部１２０で生成したマルチ画像ＭＳ（ライブ映像）をライブストリーミング用にエンコードし、ネットワーク１４０を介して画像表示端末２００にストリーミング配信する。なお、ネットワーク１４０としては、特に限定されず、無線、有線を問わない。ただし、例えば、Ｗｉ−Ｆｉ（登録商標）等の無線ＬＡＮを用いることが好ましい。また、ライブコンサート会場に常設されているネットワークであってもよいし、ライブコンサートの主催者が設置したネットワークであってもよい。
【００３９】
このように、画像Ｐ１〜Ｐ８が含まれるマルチ画像ＭＳ（ライブ映像）を画像表示端末２００に配信することで、例えば、複数のカメラＣＡから取得した画像をそれぞれ画像表示端末２００に配信する場合と比較して、通信データ容量を抑えることができる。そのため、よりスムーズでかつ安定した配信が可能となる。
【００４０】
画像表示端末２００は、配信部１３０からのストリーミング配信を受信し、受信したマルチ画像ＭＳに基づいてライブストリーミング再生し、マルチ画像Ｍを表示する。この状態を第１表示状態（マルチ画像表示状態）とも言う。ここで、マルチ画像Ｍとしては特に限定されないが、例えば、図３に示すように、画面２１０が９つの画像領域ＳＳ１〜ＳＳ９に分割されており、そのうちの１つの画像領域ＳＳ１をメイン画像とし、他の８つの画像領域ＳＳ２〜ＳＳ９をサブ画像とする構成とすることができる。そして、サブ画像である画像領域ＳＳ２〜ＳＳ９には、受信したマルチ画像ＭＳに含まれる画像Ｐ１〜Ｐ８が表示され、メイン画像となる画像領域ＳＳ１には、画像Ｐ１〜Ｐ８の中から選択された１つの画像（図３では、画像Ｐ１）が表示される。すなわち、画像表示端末２００は、受信したマルチ画像ＭＳ（１つの画像にまとめられた画像Ｐ１〜Ｐ８）を画像Ｐ１〜Ｐ８毎に分割し、分割したそれぞれの画像Ｐ１〜Ｐ８を画像領域ＳＳ１〜ＳＳ９に表示する。
【００４１】
ここで、画像領域ＳＳ１〜ＳＳ９に表示される画像を違和感なく観賞するためには、画像領域ＳＳ１〜ＳＳ９に表示される画像が互いに同期されていることが重要である。この点において、マルチ画像ＭＳに含まれる画像Ｐ１〜Ｐ８は、互いに同期がとられているため、上述のような、マルチ画像ＭＳを分割して画像領域ＳＳ１〜ＳＳ９に画像Ｐ１〜Ｐ８を表示する方法によれば、画像表示端末２００側で画像Ｐ１〜Ｐ８の同期をとる必要がない。そのため、画像表示端末２００側に、画像を同期させるためのプログラムが不要となり、より簡単に、同期のとれた画像Ｐ１〜Ｐ８を、画像領域ＳＳ１〜ＳＳ９に表示することができる。
【００４２】
また、サブ画像である画像領域ＳＳ２〜ＳＳ９は、互いに同じ大きさで表示され、メイン画像である画像領域ＳＳ１は、サブ画像である画像領域ＳＳ２〜ＳＳ９よりも大きく表示されている。このように、メイン画像を大きく表示することで、メイン画像が視認され易くなる。言い換えると、サブ画像を小さくすることで、メイン画像をより大きく表示することができる。
【００４３】
なお、受信したマルチ画像ＭＳ（１つの画像にまとめられた画像Ｐ１〜Ｐ８）を９つの画像領域ＳＳ１〜ＳＳ９に分割して表示する方法としては、特に限定されないが、例えば、以下のような方法が挙げられる。１つの方法として、画素に基づく方法が挙げられる。例えば、画像表示端末２００は、マルチ画像ＭＳのうちのどの画素領域（画素の集合体）で画像Ｐ１〜Ｐ８がそれぞれ構成されているかの情報を有する。より具体的には、画像表示端末２００は、例えば、図４に示すように、マルチ画像ＭＳが１８行×６４列に並ぶ画素を有し、１〜９行×１〜１６列の画素領域で画像Ｐ１が構成され、１〜９行×１７〜３２列の画素領域で画像Ｐ２が構成され、１〜９行×３３〜４８列の画素領域で画像Ｐ３が構成され、１〜９行×４９〜６４列の画素領域で画像Ｐ４が構成され、１０〜１８行×１〜１６列の画素領域で画像Ｐ５が構成され、１０〜１８行×１７〜３２列の画素領域で画像Ｐ６が構成され、１０〜１８行×３３〜４８列の画素領域で画像Ｐ７が構成され、１０〜１８行×４９〜６４列の画素領域で画像Ｐ８が構成されているとする情報を有する。そして、画像表示端末２００は、この情報に基づいて、受信したマルチ画像ＭＳを画像Ｐ１〜Ｐ８に分割し、分割した画像を９つの画像領域ＳＳ１〜ＳＳ９に表示する。このような方法によれば、比較的簡単に、受信したマルチ画像ＭＳを９つの画像領域ＳＳ１〜ＳＳ９に分割して表示することができる。なお、上述の情報は、画像表示端末２００が予め有していてもよいし、マルチ画像ＭＳと共に受信してもよい。
【００４４】
また、別の方法として、例えば、図５に示すように、マルチ画像ＭＳに各画像Ｐ１〜Ｐ８を区切る枠ＢＭを設定しておき、画像表示端末２００は、この枠ＢＭを認識することで、受信したマルチ画像ＭＳを画像Ｐ１〜Ｐ８に分割し、分割した画像を９つの画像領域ＳＳ１〜ＳＳ９に表示する。このような方法によっても、比較的簡単に、受信したマルチ画像ＭＳを９つの画像領域ＳＳ１〜ＳＳ９に分割して表示することができる。
【００４５】
画像表示端末２００は、上記のような処理が可能なように、例えば、マルチ画像ＭＳを受信する受信部と、受信部が受信したマルチ画像を上述のような方法で分割する分割部と、分割部で分割された画像を対応する画像領域ＳＳ１〜ＳＳ９に表示する表示部と、を有している。ただし、画像表示端末２００の構成としては、マルチ画像ＭＳを分割して表示することができれば、特に限定されない。
【００４６】
また、画像表示端末２００では、メイン画像とサブ画像とを切り替えることが可能である。すなわち、例えば図６に示すように、メイン画像として画像Ｐ１が表示されている状態から、メイン画像として画像Ｐ８が表示されている状態へ切り替えることができる。このような構成とすることで、それまでサブ画像であった映像を大きいメイン画像として視認できるため、サブ画像をより簡単かつ鮮明に視認することができる。
【００４７】
メイン画像とサブ画像とを切り替える方法としては特に限定されず、画像表示端末２００の構造によっても異なる。例えば、図６に示すように、指Ｆによるタッチ入力が可能な場合にはタッチ入力（例えば、メイン画像としたいサブ画像をタップする方法や、メイン画像としたいサブ画像を画像領域ＳＳ１にドラッグする方法等）により切り替えることができる。また、例えば、画像表示端末２００が加速度や角速度を検出可能な構成である場合には物理的な入力（振動を与える、向きを変える等）により切り替えることができる。また、画像表示端末２００に物理キーが設けられている場合には物理キーを操作することにより切り替えることができる。
【００４８】
このようなマルチ画像Ｍの変形例として、例えば、図７および図８に示す構成が挙げられる。図７に示すマルチ画像Ｍは、メイン画像となる画像領域ＳＳ１が図３に示す構成よりも大きく配置されており、この画像領域ＳＳ１に重なるようにしてサブ画像となる画像領域ＳＳ２〜ＳＳ９が配置されている。一方、図８に示すマルチ画像Ｍは、メイン画像となる画像領域ＳＳ１が画面の最も手前側に位置しており、この画像領域ＳＳ１の奥側に重なるようにサブ画像となる画像領域ＳＳ２〜ＳＳ９が配置されている。この場合は、例えば、画面２１０を横側にスクロールすることで、メイン画像を切り替えることができる。
【００４９】
さらに、画像表示端末２００は、第１表示状態（マルチ画像表示状態）で表示された複数の画像Ｐ１〜Ｐ８から選択された画像を全画面表示する。この状態を第２表示状態（選択画像表示状態）とも言う。ここで、図９に示すように、第２表示状態で表示される画像は、第１表示状態で直前にメイン画像として表示されていた画像（図９では画像Ｐ１）であり、第２表示状態で表示される画像は、第１表示状態で表示されるメイン画像よりも大きい。また、第２表示状態では、選択された画像（メイン画像）以外の画像（サブ画像）は表示されない。このような構成によれば、第２表示状態においてメイン画像をさらに大きく拡大して表示することができ、サブ画像も表示されないため、メイン画像をさらに視認し易くなる（メイン画像のみに没入することができる）。
【００５０】
第１表示状態から第２表示状態への切り替え方法としては特に限定されず、画像表示端末２００の構造によっても異なる。例えば、画面２１０へのタッチ入力が可能な場合には、タッチ入力（例えば、メイン画像をダブルタップ、ロングタップする方法）により切り替えることができる。また、例えば、画像表示端末２００が加速度や角速度を検出可能な構成である場合には、物理的な入力（振動を与える、向きを変える等）により切り替えることができる。また、画像表示端末２００に物理キーが設けられている場合には、物理キーを操作することにより切り替えることができる。また、第１表示状態から第２表示状態への切り替えや第２表示状態から第１表示状態への切り替えは、何度でも行うことができる。
【００５１】
さらに、第２表示状態では、表示された画像を拡大することができる。画像を拡大する方法としては特に限定されず、画像表示端末２００の構造によっても異なる。例えば、画面２１０へのタッチ入力が可能な場合には、タッチ入力（例えば、ピンチアウト、ピンチイン）により拡大縮小を行うことができる。また、例えば、画像表示端末２００が加速度や角速度を検出可能な構成である場合には、物理的な入力（振動を与える、向きを変える等）により拡大縮小を行うことができる。また、画像表示端末２００に物理キーが設けられている場合には、物理キーを操作することにより拡大縮小を行うことができる。
【００５２】
なお、本実施形態では第２表示状態において、メイン画像が画面全域にわたって表示されているが、第２表示状態での画像の大きさは、第１表示状態でのメイン画像の大きさよりも大きければ特に限定されない。また、本実施形態では第２表示状態において、第１表示状態でのメイン画像が拡大表示される構成について説明したが、第２表示状態において拡大表示される画像としては、これに限定されず、サブ画像であってもよい。また、第２表示状態において拡大表示される画像としては１つに限定されず、例えば、２つの画像を拡大表示できるようになっていてもよい。
【００５３】
以上、第１表示状態および第２表示状態について説明したが、これらの各状態で表示される画像には音声が含まれていてもよいし、音声が含まれていなくてもよい。ただし、音声が含まれていないことが好ましい。これにより、雑音が抑えられ、会場に響く生音を楽しむことができる。
【００５４】
また、画像表示端末２００は、例えば、第１、第２表示状態以外にも、例えば、ライブコンサートのセットリストを確認できる第３表示状態に切り替えることができるようになっていてもよい。これにより、観客は、ライブコンサートで歌われる曲およびその順番を容易に確認することができる。さらには、このセットリストに含まれている曲（例えば、曲単体、その曲が含まれているシングルＣＤ、その曲が含まれているアルバムＣＤ等）を、画像表示端末２００を用いてその場で購入（所謂「ネット購入」）できるようになっていてもよい。このような機能を有することで、ライブコンサートの高揚感によって、販売促進に寄与することが期待される。また、観客が知らない曲の場合、その場で購入できることで、後日にその曲を思い出すことができずに購入することができなくなることを防止することもできる。なお、第３表示状態で表示されるセットリストは、現在歌われている曲および既に歌われた曲に限定され、これから歌われる曲については表示されないことが好ましい。これにより、後に歌われる曲が観客に知られてしまうことを防止することができる。
【００５５】
以上、画像表示システム１００の基本構成について説明した。次に、画像表示システム１００の具体的な使用例を上述したアイドルグループＸのライブコンサートの例を挙げて説明する。
【００５６】
例えば、ある画像表示端末２００を使用している観客がアイドルグループＸのメンバーＡのファンであったとする。このような場合、当該観客は、第１表示状態の画面２１０を確認し、複数の画像からメンバーＡが映っている画像を選択することで、メイン画面にメンバーＡが映っている画像を表示することができ、第２表示状態としてこの画像を拡大表示することもできる。そのため、ライブコンサートを肉眼で観賞しながら、これに加えてさらに画像表示端末２００で画像を観賞することで、ライブコンサートをより楽しむことができる。
【００５７】
また、例えば、大勢の観客の中には、どの歌のどのタイミングでどのメンバーがどのようなポーズを決めるといったことを熟知しており、そのポーズを絶対に見たいと思っている観客もいる。このような場合は、そのタイミングに合わせて、ポーズを決めるメンバーが最も良いアングルで映っている画像を選択し、全画面表示にしておくことで、画像表示端末２００を通してそのポーズを鮮明に観賞することができる。このように、観客自身の希望に合わせて画像を切り替えられる機能を「選択機能」とも言う。
【００５８】
ここで、メンバーＡのファンである観客用の画像表示端末２００Ａと、メンバーＢのファンである観客用の画像表示端末２００Ｂと、を区別し、画像表示端末２００Ａには主にメンバーＡが映っている画像をストリーミング配信し、画像表示端末２００Ｂには主にメンバーＢが映っている画像をストリーミング配信するようにしてもよい。すなわち、複数の画像表示端末２００に、その使用者の属性に合わせて異なる画像をストリーミング配信してもよい。このような構成によれば、ファンであるメンバーを追跡するように画像表示端末２００に画像が表示されるため（各観客のニーズに合った画像を配信することができるため）、観客は、ますますライブコンサートを楽しむことができる。このように、特定のメンバーを追跡する画像が画像表示端末２００に表示される機能を「追跡機能」とも言う。
【００５９】
このような構成の場合、図１０に示すように、画像生成部１２０は、画像取得部１１０が取得した複数の画像からメンバーＡが映っている画像を選択して画像表示端末２００Ａ用のマルチ画像ＭＳを生成するメンバーＡ用生成部１２１と、画像取得部１１０が取得した複数の画像からメンバーＢが映っている画像を選択して画像表示端末２００Ｂ用のマルチ画像ＭＳを生成するメンバーＢ用生成部１２２と、を有している。また、配信部１３０は、メンバーＡ用生成部１２１で生成したマルチ画像ＭＳを１つの画像としてライブストリーミング用にエンコードし、ネットワーク１４０を介して画像表示端末２００Ａにストリーミング配信するメンバーＡ用配信部１３１と、メンバーＢ用生成部１２２で生成したマルチ画像ＭＳを１つの画像としてライブストリーミング用にエンコードし、ネットワーク１４０を介して画像表示端末２００Ｂにストリーミング配信するメンバーＢ用配信部１３２と、を有している。
【００６０】
なお、上記の説明では、初めから設定の異なる画像表示端末２００（２００Ａ、２００Ｂ）を用いることで、メンバーＡのファンであるかメンバーＢのファンであるかを区別しているが、同じ設定の画像表示端末２００を用いて、各観客がファンであるメンバーを画像表示端末２００に入力（選択）するようになっていてもよい。
【００６１】
以上、画像表示システム１００の具体的な使用例の一例を説明した。このような画像表示システム１００によれば、各人が楽しむことのできるライブコンサート等を開催することができる。特に、本実施形態では、「選択機能」と「追跡機能」とを兼ね備えているため、各人がより一層楽しむことのできるライブコンサート等を開催することができる。
【００６２】
次に、画像表示システム１００の更なる機能について説明する。上述の機能は、観客側のための機能であったが、以下に述べる機能は、どちらかというと主催者側のための機能であると言える。
【００６３】
第１に、画像表示システム１００は、集計機能を有している。具体的には、画像表示システム１００は、複数の画像表示端末２００において、第２表示状態でどの画像が表示されているかをリアルタイムで集計し、記憶する集計部１５０を有している。第２表示状態でどの画像が表示されているかは、例えば、各画像表示端末２００から送信される信号により特定することができる。集計部１５０には、例えば、図１１に示すように、複数の画像表示端末２００において、第２表示状態でどの画像が表示されているかが時刻と共にリアルタイムに記憶される。集計部１５０に記憶されたデータは、次のように利用することができる。
【００６４】
例えば、第２表示状態で多く表示されている画像は、より人気の高い画像であると推測することができるため、第２表示状態で最も多く表示されている画像（以下、「人気画像」とも言う）を第１表示状態で表示するマルチ画像のメイン画像とする。このように、より人気の高い画像をメイン画像とすることで、当該画像を観客が発見し易くなり、よりニーズに合った画像を効果的に観客に提供することができる。なお、人気画像をメイン画像に切り替えるタイミングとしては、特に限定されないが、例えば、第２表示状態から第１表示状態へ切り替わった際、第１表示状態でのメイン画面の選択が所定時間以上経過しても実施されなかった際とすることができる。
【００６５】
また、例えば人気画像をスクリーンに表示する等、スクリーンに表示する画像の選択に、集計部１５０で集計されたデータを用いることもできる。また、例えば、チケットを購入できなかったり、遠方に暮らしていてライブコンサートに参加できなかったりする人のために、近年では、映画館で生中継を行う企画等が行われている。このようなイベントにおいて、スクリーンに映し出す映像の選択に、集計部１５０で集計されたデータを用いることもできる。
【００６６】
また、集計部１５０で集計したデータは、後日、ライブコンサートの様子を収録したＤＶＤ、ＢＤ等の記録メディア（ダウンロード型のプログラムを含む）を制作する際の参考とすることができる。例えば、人気画像を多く使うことで、より購買者のニーズに合った記録メディアを制作することができる。
【００６７】
以上、画像表示システム１００の集計機能について説明した。なお、上述の集計は、全ての画像表示端末２００から集計してもよいし、任意に選択した一部の画像表示端末２００から集計してもよい。また、一部の画像表示端末２００から集計する場合には、画像表示端末２００をランダムに選択してもよいし、ある程度の規則性を持って選択してもよい。例えば、会場全体にわたってなるべく均一に散らばるように画像表示端末２００を選択してもよいし、年齢や性別が偏らないように選択してもよい。これにより、偏ったデータの集計が防止される。
【００６８】
第２に、画像表示システム１００は、コマーシャル機能を有している。具体的には、図３に示すように、画像表示システム１００は、画像表示端末２００においてライブ映像の他に、ライブ映像以外の画像Ｐ１０を表示することができる。なお、画像Ｐ１０としては、特に限定されず、例えば、画像表示端末２００の使用方法、協賛企業のＣＭ（コマーシャルメッセージ）、過去のライブＤＶＤの紹介、会場の最寄り駅までの道案内、帰路につく際の交通手段の混雑状況等が挙げられる。また、例えば、画像Ｐ１０で紹介された商品を、画像表示端末２００を用いてその場で購入（所謂ネット購入）できるようになっていてもよい。なお、画像Ｐ１０は、第２表示状態では、表示しないことが好ましい。
【００６９】
第３に、画像表示システム１００は、課金機能を有している。具体的には、例えば、定められた金額を支払えば、画像表示端末２００に表示される画像の全部または一部を録画することができ、記憶したデータを例えば自分のスマートフォン等に転送し保存できる機能が挙げられる。ただし、このような機能は、著作権法の各種問題を解決していることを前提に提供される。
【００７０】
第４に、画像表示システム１００は、観客をライブに参加させる参加機能を有している。これにより、主催者側は、マーケティングデータを蓄積することができ、そのマーケティングデータを今後の活動に有効に活用することができる。また、観客のライブコンサートへの参加意識を高めることができ、各観客がライブコンサートをより楽しむことができると共に、コンサート会場の一体感が増し、よりよいライブコンサートとなる。
【００７１】
このような参加機能としては、例えは、アンケート機能が挙げられる。これは、画像表示端末２００を用いて観客にアンケートに回答してもらう機能である。これにより、主催者側は、より有効なマーケティングデータを蓄積することができる。なお、アンケートの回収率を高めるために、例えば、画像表示端末２００は、アンケート回答後にライブコンサートの画像を観賞できるように構成されていてもよい。アンケート内容については特に限定されず、イベントの内容によっても異なるが、本実施形態の例では、例えば、年齢、性別、出身地、現住所等のデモグラフィック情報や、ライブコンサートへの参加頻度、ファンであるメンバーの名前等の嗜好性情報が挙げられる。これら情報の集計結果は、例えば、グラフ化（例えば、円グラフ化、棒グラフ化）されて会場内のスクリーンに映し出されてもよい。また、例えば、ライブコンサート終了後に、画像表示端末２００を用いてライブコンサートの感想等をアンケート形式で回収できるようになっていてもよい。
【００７２】
また、参加機能としては、例えば、投票機能が挙げられる。これは、画像表示端末２００を用いて観客に投票してもらう機能である。これにより、主催者側は、より有効なマーケティングデータを蓄積することができる。投票内容については特に限定されず、イベントの内容によっても異なるが、本実施形態の例では、アンコールで歌って欲しい曲、曲のテースト（オリジナルバージョン、アコースティックバージョン、クラシックバージョン等）、やって欲しい余興等が挙げられる。例えば、予め選択されている複数の曲のうちからアンコールで歌って欲しい曲を投票し、投票数が最も多かった曲が実際にアンコールで歌われることで、より会場を盛り上げることができる。
【００７３】
また、参加機能としては、例えば、抽選機能が挙げられる。これは、特定の画像表示端末２００を使用している観客に景品等がプレゼントされる機能である。このような機能によれば、より会場を盛り上げることができる。プレゼントとしては特に限定されず、例えば、ライブのオリジナルグッズやメンバーのサイン入りグッズ等が挙げられる。
【００７４】
また、参加機能としては、例えば、メッセージ送信機能が挙げられる。これは、観客が画像表示端末２００を用いてメッセージを送信することができる機能である。例えば、画像表示端末２００を用いて送信されたメッセージをスクリーンに映し出し、そのメッセージに対してアイドルグループＸのメンバーＡ、Ｂが回答するといった形式をとることで、アイドルグループＸと観客との間で会話が成立し、ライブコンサートをより盛り上げることができる。
【００７５】
また、参加機能としては、例えば、ゲーム機能が挙げられる。これは、画像表示端末２００を用いて観客がゲームに参加できる機能である。これにより、ライブコンサートをより盛り上げることができる。なお、ゲームとしては特に限定されず、ビンゴゲーム、アイドルグループＸとのじゃんけんゲーム、クイズ（特に、アイドルグループＸに関するクイズ）等が挙げられる。
【００７６】
第５に、画像表示システム１００は、ポイント加算機能を有している。これは、特定のライブコンサートに参加する度にポイントが加算され、取得したポイント数に応じて種々の景品と交換できる機能である。このようなポイントシステムを採用することで、観客をより満足させることができる。なお、ポイント加算の仕組みとしては特に限定されず、例えば、画像表示端末２００を装着してライブコンサート内に入れば自動的にポイントが加算される仕組みとなっていてもよいし、ライブコンサート内の特定の場所に設置された専用機器に画像表示端末２００を翳すとポイントが加算される仕組みとなっていてもよい。
【００７７】
第６に、画像表示システム１００は、通報機能を有している。これは、例えば、観客が体調を崩した際に、画像表示端末２００を用いて主催者側へ通報できる機能である。これにより、体調を崩した観客をより迅速に介抱することができる。
【００７８】
以上、集計機能、コマーシャル機能、課金機能、参加機能、ポイント加算機能、通報機能について説明したが、これらを総称して「付加機能」と言う。このような付加機能を有することで、より楽しめるライブコンサートを提供することができる。なお、付加機能としては、上述した機能に限定されず、他の機能を有していていてもよい。
【００７９】
以上、画像表示システム１００について説明した。なお、上記の説明では、画像表示端末２００としてライブコンサートの主催者（関係者を含む）が貸与する端末を用いているが、画像表示端末２００として観客個人が所有する端末（例えば、スマートフォン）を用いてもよい。この場合、観客個人が自分の端末に専用のソフトウェアをダウンロードすることで、自分の端末を画像表示端末２００として使用できるようになる。この際にダウンロードするソフトウェアが、本発明の画像表示プログラムである。本発明の画像表示プログラムは、異なるカメラＣＡで撮像された２つ以上の画像を画像表示端末２００に表示させる前述した第１表示状態と、第１表示状態で表示された２つ以上の画像から選択された画像を画像表示端末２００に表示させる前述した第２表示状態と、を取り得ることができる。このようなプログラムを端末にダウンロードすることで、その端末を上述した専用の画像表示端末２００と同様に使用することができるようになる。なお、この画像表示プログラムには著作権法上の問題を解決する機能が付随していることが好ましい。この機能としては、例えば、本プログラムを実行中は、その端末が有する他のプログラム（特に、撮影、録画、録音、配信等に関するプログラム）の実行を禁止する機能が挙げられる。
【００８０】
以上、本発明の画像表示システムおよび画像表示プログラムを図示の実施形態に基づいて説明したが、本発明は、これに限定されるものではなく、各部の構成は、同様の機能を有する任意の構成のものに置換することができる。また、本発明に、他の任意の構成物が付加されていてもよい。また、各実施形態を適宜組み合わせてもよい。
【符号の説明】
【００８１】
１００    画像表示システム
１１０    画像取得部
１２０    画像生成部
１２１    メンバーＡ用生成部
１２２    メンバーＢ用生成部
１３０    配信部
１３１    メンバーＡ用配信部
１３２    メンバーＢ用配信部
１４０    ネットワーク
１５０    集計部
２００    画像表示端末
２００Ａ  画像表示端末
２００Ｂ  画像表示端末
２１０    画面
ＣＡ      カメラ
Ｆ        指
Ｍ        マルチ画像
ＭＳ      マルチ画像
Ｐ１〜Ｐ８、Ｐ１０      画像
Ｓ１〜Ｓ８      画像領域
ＳＳ１〜ＳＳ９    画像領域
【図１】
2018025734.tif 000003
【図２】
2018025734.tif 000004
【図３】
2018025734.tif 000005
【図４】
2018025734.tif 000006
【図５】
2018025734.tif 000007
【図６】
2018025734.tif 000008
【図７】
2018025734.tif 000009
【図８】
2018025734.tif 000010
【図９】
2018025734.tif 000011
【図１０】
2018025734.tif 000012
【図１１】
2018025734.tif 000013